(57)【要約】【課題】  床面全体に渡って散湯を直接行き渡らせ、床面全体を均一に暖めることのできる固定式の床散湯シャワーを提供すること。【解決手段】  上下方向および左右方向にそれぞれに複数以上の散水孔５０，５２，５４，５６を設けた固定式の床散湯シャワー１０において、各散水孔５０，５２，５４，５６の上下方向外側の散水孔５０，５２，５４，５６ほど、より上下方向外側に向けて散水が行われ、各散水孔５０，５２，５４，５６の左右方向外側の散水孔５０，５２，５４，５６ほど、より左右方向外側に向けて散水が行われるように各散水孔５０，５２，５４，５６を形成した。    【選択図】    図１
2008136568.tif 000002
【特許請求の範囲】
【請求項１】
上下方向に複数以上の散水孔を設けた固定式の床散湯シャワーであって、前記複数以上の散水孔の上下方向外側の散水孔ほど、より上下方向外側の角度に向けて散水が行われるように各散水孔を形成したことを特徴とする固定式の床散湯シャワー。
【請求項２】
左右方向に複数以上の散水孔を設けた固定式の床散湯シャワーであって、前記複数以上の散水孔の左右方向外側の散水孔ほど、より左右方向外側の角度に向けて散水が行われるように各散水孔を形成したことを特徴とする固定式の床散湯シャワー。
【請求項３】
上下方向および左右方向にそれぞれに複数以上の散水孔を設けた固定式の床散湯シャワーであって、前記複数以上の散水孔の上下方向外側の散水孔ほど、より上下方向外側に向けて散水が行われ、前記複数以上の散水孔の左右方向外側の散水孔ほど、より左右方向外側に向けて散水が行われるように各散水孔を形成した固定式の床散湯シャワー。
【請求項４】
定流量弁を内蔵したことを特徴とする請求項１から請求項３のいずれかに記載の固定式の床散湯シャワー。
【請求項５】
前記床散湯シャワーの本体部に、着脱自在に取り付けられるシャワーフェイスが備えられ、前記本体部及び前記シャワーフェイスに干渉部を設け、前記干渉部は、前記本体部と前記シャワーフェイスとを間違った向きに組み付ける場合に、前記本体部と前記シャワーフェイスとの組付が不能となる形状に設けたことを特徴とする請求項１から請求項４のいずれかに記載の固定式の床散湯シャワー。
【発明の詳細な説明】
【技術分野】
【０００１】
本発明は、固定式の床散湯シャワーに関する。
【背景技術】
【０００２】
従来、冬の寒い時期などに、浴室の使用に先だって浴室内を暖めるための浴室内ミスト装置が用いられることがある。しかしながら、この浴室内ミスト装置は、噴霧状の細かい散湯を行うものであり、また、浴室内の比較的高所から散湯を行うため、床面にたどり着くまでに散湯の温度が下がってしまうことが多い。このため、このような浴室内ミスト装置では、低所に位置し使用者が直接触れる床面を暖めることは困難であった。そこで、従来、比較的低所に配設されるとともに浴室の床面に直接散湯を行い床面を暖めておく床散湯シャワーが知られている。
【０００３】
この床散湯シャワーは、浴室内に設置された湯水混合水栓などに接続されて、適温の湯を浴室の床面に散湯し、冷えた床面を暖めるものである。このような従来の床散湯シャワーは、通常のハンドシャワーと同様のシャワーを備えておいて、適宜の向きとなるようにシャワーフックに係止しておいて散湯する床散湯シャワーが知られていた（例えば、特許文献１参照。）。
【０００４】
【特許文献１】特開平５−２９６４７５号公報（図１）
【発明の開示】
【発明が解決しようとする課題】
【０００５】
しかしながら、この従来の床散湯シャワーでは、使用者が係止しておいたシャワーフックへの係止状態によっては、シャワーヘッドの方向が床面全体を暖めるのに適切な方向に向けられないままとなってしまい、そのままでは床面全体に散湯が行き渡らなくなるおそれがあった。また、そもそも床面全体に渡って直接に散湯を到達させることは困難であった。また、このような床散湯シャワーを、浴室内のカウンターなどにあらかじめ埋め込んだ固定式の床散湯シャワーとした場合には、シャワーヘッドの向きを変更することもできないため、このような、床面全体に散湯を行き渡らせられないという問題がよりいっそう生ずる可能性があった。
【０００６】
本発明は上記した従来の床散湯シャワーの問題点を解消するものであり、床面全体に渡って散湯を直接行き渡らせ、床面全体を均一に暖めることのできる固定式の床散湯シャワーを提供することを目的とする。
【課題を解決するための手段】
【０００７】
以上の課題を解決するために、本発明の採った手段を以下に説明する。本発明の固定式の床散湯シャワーは、
上下方向に複数以上の散水孔を設けた固定式の床散湯シャワーであって、前記複数以上の散水孔の上下方向外側の散水孔ほど、より上下方向外側の角度に向けて散水が行われるように各散水孔を形成したことを特徴とする固定式の床散湯シャワー（請求項１）である。
【０００８】
本発明のように、散水孔の上下方向外側の散水孔ほど、より上下方向の外側に向けて散水が行われるように各散水孔を形成することにより、床面の奥行き方向の全ての範囲に渡って十分に散湯を行わせることができる。また、散水が順に角度をつけて外側に向けられることにより、これらの散水孔からの散水同士が互いに干渉しないようにすることもできる。よって、各散水孔からのそれぞれ散水を、床面の各所に至らせることができ、床面全体をスムーズに暖めることができる。また、このように散水を行き渡らせるようにできる本発明は、特に、あらかじめカウンター等に固定して設置される固定式の床散湯シャワーに有効である。
【０００９】
左右方向に複数以上の散水孔を設けた固定式の床散湯シャワーであって、前記複数以上の散水孔の左右方向外側の散水孔ほど、より左右方向外側の角度に向けて散水が行われるように各散水孔を形成したことを特徴とする固定式の床散湯シャワー（請求項２）としても良い。
【００１０】
上記した発明と同様に、本発明のように、散水孔の左右方向外側の散水孔ほど、より左右方向の外側に向けて散水が行われるように各散水孔を形成することにより、床面の左右方向の全ての範囲に渡って十分に散湯を行わせることができる。また、散水が順に角度をつけて外側に向けられることにより、これらの散水孔からの散水同士が互いに干渉しないようにすることもできる。よって、各散水孔からのそれぞれ散水を、床面の各所に至らせることができ、床面全体をスムーズに暖めることができる。また、上記した発明と同様に、このように散水を行き渡らせるようにできる本発明は、特に、あらかじめカウンター等に固定して設置される固定式の床散湯シャワーに有効である。
【００１１】
また、上下方向および左右方向にそれぞれに複数以上の散水孔を設けた固定式の床散湯シャワーであって、前記複数以上の散水孔の上下方向外側の散水孔ほど、より上下方向外側に向けて散水が行われ、前記複数以上の散水孔の左右方向外側の散水孔ほど、より左右方向外側に向けて散水が行われるように各散水孔を形成した固定式の床散湯シャワーとすることもできる（請求項３）。
【００１２】
また、上記した固定式の床散湯シャワーにおいて、定流量弁を内蔵したことを特徴とする請求項１から請求項３のいずれかに記載の固定式の床散湯シャワー（請求項４）としても良い。
【００１３】
定流量弁を内蔵することにより、床散湯シャワーに供給される水圧を一定にすることができるので、この一定の水圧を前提とすることにより各散水孔からの散水を所定の距離・角度とすることが容易となり、浴室床面全体への散水をより確実に得ることができる。
【００１４】
また、前記床散湯シャワーの本体部に、着脱自在に取り付けられるシャワーフェイスが備えられ、前記本体部及び前記シャワーフェイスに干渉部を設け、前記干渉部は、前記本体部と前記シャワーフェイスとを間違った向きに組み付ける場合に、前記本体部と前記シャワーフェイスとの組付が不能となる形状に設けたことを特徴とする請求項１から請求項４のいずれかに記載の固定式の床散湯シャワー（請求項５）としても良い。
【００１５】
本体に着脱自在に取り付けられるシャワーフェイスが備えられ、メンテナンス等の目的でこのシャワーフェイスを取り外すことが可能な上記床散湯シャワーにおいては、シャワーフェイスの向きを誤って取り付けると、床面全体に散水を行き渡らせるという初期の目的を果たすことができない。本発明のように、誤った向きに組み付けようとする場合には組付を不能とする干渉部を設けておくことにより、このような、組み付け間違いを確実かつ簡便に防止することができる。特に、定流量弁を設けた場合には、これを定期的に清掃する必要が生ずるが、そのためにシャワーフェイスを取り外す際に、一般ユーザーにおいても、このような組み付け間違いを確実に防止することができる。
【発明の効果】
【００１６】
本発明の固定式の床散湯シャワーでは、上記のように各散水孔が形成されているので、床面全体に渡って十分に散水を行き渡させることができ、床面全体を十分に暖めることができる。また、特に請求項５の固定式の床散湯シャワーでは、メンテナンス時などにシャワーフェイスを組み付ける際に、シャワーフェイスの組み付け間違いを防止することもできる。
【発明を実施するための最良の形態】
【００１７】
次に、本発明の固定式の床散湯シャワーの実施の形態を図を参考にして詳細に説明する。図１に示すように、本発明の固定式の床散湯シャワー１０は、浴室内のカウンター１内に内蔵されてカウンター１正面側のパネル２の左側寄りに露呈され、浴室内の床面３に向けて取り付けられ、冬季などの気温の低い場合に、床面３に散湯を行って床面３全体を暖めるものである。
【００１８】
図３に示すように、この床散湯シャワー１０は、パネル２裏側に配設される固定用ステー４を介して、カウンター１裏側の壁面（図示省略）に固定されている。図２から図４に示されるように、床散湯シャワー１０には、本体部１２と接続管部１４とが備えられたボデー１６と、本体部１２の正面側に組み付けられたシャワーフェイス１８とが備えられている。また、図２に示すように、シャワーフェイス１８の前面には、カバー２０が嵌合取り付けされている。
【００１９】
図３に示すように、接続管部１４は、本体部１２の背面側の開口部１３から背面右側に沿って延設されており、その端部は湯水混合水栓（図示省略）側に接続され、所定のハンドル操作により、この接続管部１４を通じて本体部１２に湯水が供給されるように設けられている。
【００２０】
上記した開口部１３内には、図３及び図４に示すように、円筒状の台座２２がＯリング２４を介して取り付けられている。台座２２には、先端側の小径部２６と、基端側の大径部２８とが備えられており、大径部２８の外周面の溝内にＯリング２４が装着されている。また、台座２２は、開口部１３奥側の段部１５に係止されて開口部１３内に収容されている。そして、大径部２８の開口部２９内に、円筒状の定流量弁３０が収容保持されている。定流量弁３０は、開口部２９内に圧入可能な外径の円筒状に形成されている。定流量弁３０は、毎分８リットルに流量を抑えることができるものであり、通常の水道管に接続する場合には毎分８リットルの流量を維持することができる。よって、床面３の幅・奥行き・床散湯シャワー１０の設置される高さなどの種々の要因に合わせて、下記に詳述するように散水孔５０，５２，５４，５６の形状などを特定して床面３全体に散湯を行き渡すことを目的とする床散湯シャワー１０において、湯水の流量を一定に定め、床面３全体に散湯を適切に行き渡すことが可能となる。
【００２１】
また、図３及び図４に示すように、本体部１２の左右両端部には、第一ねじ孔３２、第二ねじ孔３３が開設された半割長円形状の取付部３４が延設されている。左側の取付部３４にはその下方寄りに、正面視右側の取付部３４にはその上方寄りに、それぞれ１箇所の第一ねじ孔３２が開設されており、また、左側の取付部３４にはその上方寄りに、正面視右側の取付部３４にはその下方寄りに、それぞれ１箇所の第二ねじ孔３３が開設されている。各第一ねじ孔３２は、固定用ステー４に設けられた第一取付孔５に対応する位置に、各第二ねじ孔３３は、固定用ステー４に設けられた第二取付孔６に対応する位置に、それぞれ開設されている。また、第二ねじ孔３３は、後述するシャワーフェイス１８の取付孔４６とも対応する位置に開設されている。そして、ねじ７が、固定用ステー４の第一取付孔５から取付部３４の第一ねじ孔３２に螺着されて、固定用ステー４にボデー１６が固定されている。
【００２２】
また、本体部１２の背面側内部の開口部２９よりも右側には、後述するシャワーフェイス１８を組み付けた際に、その干渉突部４３が収容される凹部３６が形成されており、一方、左側には、図１８にも示すように、凹部３６よりも正面寄りに形成されてシャワーフェイス１８を左右反対の向きにボデー１６に組み付ける際には干渉突部４３と干渉して組み付けを不能とする干渉部３８が形成されている。このような干渉突部４３及び干渉部３８を設けることにより、下記に詳述するように散水孔５０，５２，５４，５６の形状などを特定して床面３全体に散湯を行き渡すことを目的とする床散湯シャワー１０において、シャワーフェイス１８を組み付け間違えることにより当初予定される散湯方向が狂ってしまい、組み付け直しの必要が生ずることを確実に防止することができる。また、本例では干渉突部４３は、後述するシャワーフェイス１８のフェイス部４０に沿って立設される側壁４２からさらに突設されるように形成されており、本体部１２に正規の向きに組み付けられた際に、本体部１２内の流路中央付近などに突出されることが無く、流路内の湯水の流れを妨げるおそれも無い。また、特に、適宜にメンテナンスを必要とする定流量弁３０を内蔵する床散湯シャワー１０の場合に、このように組み付け間違いを防止する干渉部３８及び干渉突部４３を設けることは有効である。なお、これらの干渉部３８及び干渉突部４３が請求項５に言う「干渉部」に相当する。
【００２３】
次いでシャワーフェイス１８について説明する。図５に示すように、シャワーフェイス１８は、正面視がほぼ横長の長方形状に形成され、図３に示すように、そのフェイス部４０を底面としてその外周に沿って周回状に立設される側壁４２を備えた全体形状とされている。また、フェイス部４０の正面視右側裏の側壁４２には、さらにフェイス部４０背面側に突設された干渉突部４３が突設されている。フェイス部４０の左右両側には、図５に示すように、ボデー１６及び固定用ステー４にねじ止めするための取付孔４６が設けられた取付部４４が延設されている。取付部４４は、ほぼ長方形状に形成されており、正面視左側の取付部４４にはその上方寄りに、正面視右側の取付部４４にはその下方寄りに、それぞれ１箇所の取付孔４６が開設されている。また、正面視左側の取付部４４にはその下方寄り裏側に、正面視右側の取付部４４にはその上方寄り裏側に、それぞれ裏側に配設されるねじ７の頭が収容される収容空間４７が設けられている。各取付孔４６は、ボデー１６の第二ねじ孔３３及び固定用ステー４の第二取付孔６に対応する位置に開設されている。そして、ねじ８が、この取付孔４６及び固定用ステー４の第二取付孔６に正面側から順に挿通され、ボデー１６の取付部３４の第二ねじ孔３３に螺着されて、固定用ステー４及びボデー１６に対して、シャワーフェイス１８が固定されている。
【００２４】
図３に示すように、取付部４４はフェイス部４０よりも背面寄り延設されているが、図３及び図５に示すように、フェイス部４０の左右両側には、フェイス部４０よりも僅かに取付部４４側に正面視円弧状の外径を備えて形成された当接段部４８が設けられている。そして図２及び図１６に示すように、カバー２０がシャワーフェイス１８に嵌合取り付けされた場合には、カバー２０の内孔２１の左右両側周縁部内側面が、この当接段部４８の前面によって当接されて、カバー２０の左右両側周縁部の内側方向への撓みを防止するように構成されている。
【００２５】
次いでフェイス部４０について詳細に説明する。図２に示すように、フェイス部４０には、上下方向において四列に配置された散水孔５０，５２，５４，５６が多数形成されている。これらの散水孔５０，５２，５４，５６は、上下方向において下寄りの散水孔ほど、下方に向けた角度に散水が吐出されるように、その形状・角度・噴き出し口面角度が形成されている。具体的には、図６に示すように、上側第一列目の散水孔５０は、上下方向においては、水平方向より僅かに下方に向けて散水が吐出されるようにその形状・角度・噴き出し口面角度が形成されている。フェイス部４０の正面部４１の正面視左側の１０個の散水孔５０については、正面部４１に直交する方向から約１１度下方に向けて散水が吐出されるように形成されており、より具体的には、散水孔５０裏面側の形状は、下部がフェイス部４０の正面部４１の正面側に直交する方向に形成され、この下部に対して上部は後方が広がるように約２２度傾斜して形成され、側面視扇形に形成されている。このように、散水孔５０を扇形に形成するとともに、その上下端の一方を正面部４１に直交する方向に形成することにより、型抜きに支障を来さないようにすることができるとともに、傾斜角度の約２分の１である約１１度の角度で散水を吐出することができる。
【００２６】
また、それぞれの散水孔５０のフェイス部４０表側の噴き出し口５８は、散水孔５０の散水の吐出角度である約１１度下方に傾斜した、正面部４１奥側に約０．５ｍｍの深さに、直径３ｍｍの仮想円柱形状の一部を形成するように削り取られた形状とされており、すなわち、その奥側底面が、フェイス部４０の正面部４１に直交する方向に対して約１１度下方に向けられた形状とされている。このように、散水孔５０の表側の噴き出し口５８について、仮想円柱形状に噴き出し口５８を削り取るように形成することにより、上記のようにフェイス部４０裏側の散水孔５０の形状により定められる散水方向に正対しない角度の散水孔５０表側の噴き出し口５８の開口部によって散水が干渉されて、散水孔５０の形状によって予定される角度とは異なる角度に吐出されてしまうことを防止することができる。
【００２７】
また、散水孔５０が予定する散水角度に噴き出し口５８の底面の角度に応じて、仮想円柱形状に噴き出し口５８の向きを定めることにより、フェイス部４０裏側の散水孔５０の形状により定められる散水方向に正対しない角度の散水孔５０表側の噴き出し口の開口部による散水への干渉を、さらに減少させることができる。
【００２８】
また、図示は省略するが、上側第一列目の散水孔５０のうちの正面視右側の残りの２個の散水孔５０については、水平方向から約１４度下方に向けて散水が吐出されるように形成されており、具体的には、散水孔５０裏面側の形状は、下部がフェイス部４０の正面部４１に直交する方向に形成され、この下部に対して上部は後方が広がるように約２８度傾斜して形成され、側面視扇形に形成されている。そして上記した散水孔５０と同様に、それぞれの散水孔５０のフェイス部４０表側の噴き出し口５８は、正面部４１に直交する方向から、散水孔５０の散水の吐出角度である約１４度下方に傾斜した、正面部４１奥側に約０．５ｍｍの深さに、直径３ｍｍの仮想円柱形状の一部を形成するように削り取られた形状に形成されており、すなわち、その奥側底面が、フェイス部４０正面側に対して約１４度下方に向けられた形状とされている。
【００２９】
次いで、上側第二列目の散水孔５２は、第一列目の散水孔５０よりもやや下方に、水平方向から約３３度下方に向けて散水が吐出されるように、その形状・角度・噴き出し口面角度が形成されている。具体的には、散水孔５２裏面側の形状は、下部が、正面部４１に直交する方向に形成され、この下部に対して上部は後方が広がるように約６６度傾斜して形成され、側面視扇形に形成されている。そして、それぞれの散水孔５２のフェイス部４０表側の噴き出し口６０は、正面部４１に直交する方向から、散水孔５２の散水の吐出角度である約３３度下方に傾斜した、正面部４１奥側に約０．５ｍｍの深さに、直径３ｍｍの仮想円柱形状の一部を形成するように削り取られた形状に形成されており、すなわち、その奥側底面が、フェイス部４０正面側に対して約３３度下方に向けられた形状とされている。
【００３０】
また、図７に示すように、第三列目の散水孔５４は、第二列目の散水孔５２よりもさらに下方に、水平方向から約３７度下方に向けて散水が吐出されるように、その形状・角度・噴き出し口面角度が形成されている。具体的には、散水孔５４裏面側の形状は、下部がフェイス部４０の正面部４１に直交する方向に形成され、この下部に対して上部は後方が広がるように約７４度傾斜して形成され、側面視扇形に形成されている。そして、それぞれの散水孔５４のフェイス部４０表側の噴き出し口６２は、正面部４１に直交する方向から、散水孔５４の散水の吐出角度である約３７度下方に向けて傾斜した、正面部４１奥側に約０．５ｍｍの深さに、直径３ｍｍの仮想円柱形状の一部を形成するように削り取られた形状に形成されており、すなわち、その奥側底面が、フェイス部４０正面側に対して約４０度下方に向けられた形状とされている。
【００３１】
そして、第四列目の散水孔５６は、第二列目の散水孔５２よりもさらに下方に、水平方向から約６５度下方に向けて散水が吐出されるように、その形状・角度・噴き出し口が形成されている。散水孔５６については、側面視は、フェイス部４０の正面部４１に直交する方向に対して約６５度下方に向けて下さがりに傾いたほぼ長方形状に形成されており、その噴き出し口６４は、フェイス部４０の正面部４１に対して約６５度下方に向けて傾斜したフェイス部４０の傾斜部４５にそのまま開口されている。
【００３２】
また、水平方向においては、上下方向最下列の散水孔５６を除いて、正面視左端に位置する散水孔５０，５２，５４は床散湯シャワー１０の正面に正対する方向に吐出され、これより正面視右寄りの散水孔５０，５２，５４は、より右側に位置する散水孔５０，５２，５４ほど右側に角度を強めて吐出されるように形成されている。すなわち、散水孔５０，５２，５４は、それぞれ、右壁面が正面部４１と正対する方向に沿って形成されているが、一方で左壁面は、右寄りに行くにしたがって、その正面側がフェイス部４０の正面部４１の右方向に向けて順に角度を強めるように形成されている。また、それぞれの噴き出し口５８，６０，６２は、正面部４１奥側に約０．５ｍｍの深さに、直径３ｍｍの仮想円柱形状の一部を形成するように削り取られた形状に形成されている。さらにまた、これらの噴き出し口５８，６０，６２の一部については、その軸心を右側に向けた仮想円柱形状の一部を形成するように削り取られた形状に形成されている。
【００３３】
各散水孔５０，５２，５４，５６は、水平方向において、その形状などが以下のように形成されている。図８及び図９に示すように、上下方向第一列目の散水孔５０については、正面視左端の散水孔５０はその左壁面及び右壁面が共に正面部４１と正対する方向に沿って形成されているが、これより右側の散水孔５０は、その右壁面が正面部４１と正対する方向に沿って形成されると共に、左壁面は、その正面側がフェイス部４０の正面部４１の右方向に向けて順に、５度、１０度、１５度、２０度、２５度、３０度、４０度、５０度、５５度、６５度、７０度の角度を付けて平面視扇形に形成されている。そして、これらの散水孔５０は左から順に、正面部４１と正対する方向に対して、正面視右側に向けて、０度、２．５度、５度、７．５度、１０度、１２．５度、１５度、２０度、２５度、２７．５度、３２．５度、３５度の角度で散水が吐出されるように設けられている。
【００３４】
また、図９に、図８に示す左端から３つの散水孔５０を拡大して示すように、各散水孔５０の噴き出し口５８は、その軸心が正面部４１に正対する方向に向けて、正面部４１奥側に約０．５ｍｍの深さに、直径３ｍｍの仮想円柱形状の一部を形成するように削り取られた形状に形成されている。
【００３５】
図１０及び図１１に示すように、上下方向第二列目の散水孔５２については、正面視左端の散水孔５２はその左壁面及び右壁面が共に正面部４１と正対する方向に沿って形成されているが、これより右側の散水孔５２は、その右壁面が正面部４１と正対する方向に沿って形成されると共に、左壁面は、その正面側がフェイス部４０の正面部４１の右方向に向けて順に、５度、１０度、１５度、２０度、２５度、３０度、４０度、５０度、５５度、６５度、７５度の角度を付けて平面視扇形に形成されている。そして、これらの散水孔５２は左から順に、正面部４１と正対する方向に対して、正面視右側に向けて、０度、２．５度、５度、７．５度、１０度、１２．５度、１５度、２０度、２５度、２７．５度、３２．５度、３７．５度の角度で散水が吐出されるように設けられている。
【００３６】
また、各散水孔５２の噴き出し口６０は、上記したように、正面部４１奥側に約０．５ｍｍの深さに、直径３ｍｍの仮想円柱形状の一部を形成するように削り取られた形状に形成されている。そして、左寄りの３つの噴き出し口６０については、その軸心が正面部４１に正対する方向に向けて仮想円柱形状の一部を形成するように削り取られた形状に形成されており、左寄りの４つ目から６つ目の噴き出し口６０については、その軸心が正面部４１に正対する方向に対して、約１５度右向きにその軸心が定められた仮想円柱形状の一部を形成するように削り取られた形状に形成されている。そして、図１１にもその一部を拡大して示すように、右寄りの残る６つの噴き出し口６０は、正面部４１に正対する方向に対して、約３０度右向きにその軸心が定められた仮想円柱形状の一部を形成するように削り取られた形状に形成されている。
【００３７】
図１２及び図１３に示すように、上下方向第三列目の散水孔５４については、正面視左端の散水孔５４はその左壁面及び右壁面が共に正面部４１と正対する方向に沿って形成されているが、これより右側の散水孔５４は、その右壁面が正面部４１と正対する方向に沿って形成されると共に、左壁面は、その正面側がフェイス部４０の正面部４１の右方向に向けて順に、１０度、２０度、３０度、４０度、４０度、５０度、５５度、６５度、８０度の角度を付けて平面視扇形に形成されている。そして、これらの散水孔５４は左から順に、正面部４１と正対する方向に対して、正面視右側に向けて、０度、５度、１０度、１５度、２０度、２０度、２５度、２２．５度、３２．５度、４０度の角度で散水が吐出されるように設けられている。
【００３８】
また、各散水孔５４の噴き出し口６２は、上記したように、正面部４１奥側に約０．５ｍｍの深さに、直径３ｍｍの仮想円柱形状の一部を形成するように削り取られた形状に形成されている。そして、左寄りの３つの噴き出し口６２については、その軸心が正面部４１に正対する方向に向けて仮想円柱形状の一部を形成するように削り取られた形状に形成されており、左寄りの４つ目から６つ目の噴き出し口６２については、その軸心が正面部４１に正対する方向に対して、約３０度右向きにその軸心が定められた仮想円柱形状の一部を形成するように削り取られた形状に形成されている。そして、図１３にもその一部を拡大して示すように、右寄りの残る４つの噴き出し口６２は、正面部４１に正対する方向に対して、約６０度右向きにその軸心が定められた仮想円柱形状の一部を形成するように削り取られた形状に形成されている。
【００３９】
そして図１４に示すように、上下方向最下列、第四列目の８つの散水孔５６については、いずれもフェイス部４０の正面部４１及び底面部４５の左右方向に正対する方向に沿って、形成されている。
【００４０】
このように各散水孔５０，５２，５４，５６などが設けられた床散湯シャワー１０では、図１及び図１９に示すように、より上方の散水孔からは、床散湯シャワー１０からより遠い床面３の位置に向けた角度で噴水が吐出され、より下方の散水孔からは床散湯シャワー１０により近い床面３の位置に向けた角度で噴水が吐出される。また、最下列の散水孔５６を除いて、床散湯シャワー１０の配設位置から右側に広がる床面３に対して、右寄りの散水孔５０，５２，５４からは右寄りに向けて噴水が吐出される。このようにして、床面３全体に散水を行き渡らせることができる。
【００４１】
次いでカバー２０について説明する。図１５及び図１６に示すように、カバー２０は、正面視が、ほぼ横長の長方形状に形成されるとともに、中央に、シャワーフェイス１８のフェイス部４０を露呈する内孔２１が開口されている。内孔２１は、フェイス部４０の外径とほぼ同形状に形成されている。また、図１６に示すように、内孔２１周縁部からシャワーフェイス１８端部にかけて背面寄りに傾斜される底部７０が設けられ、この底部７０の端部から背面側に向けて、側壁部７２が周設されている。また、シャワーフェイス２１の下端部には、シャワーフェイス１８に嵌合される際に、嵌合を容易に行わせるための切り欠き１９が２箇所形成されている。
【００４２】
そして、上記したように、カバー２０がシャワーフェイス１８に取り付けられた際には、フェイス部４０の左右両横に形成された当接段部４８によって内孔２１の左右周縁部が内側から当接され、内孔２１周縁部が外側から押された際などにも、内側に撓んだりしないように構成されている。
【００４３】
上記のように構成された床散湯シャワー１０は、下記のように組み立てる。まず、本体部１２の接続管部１４を湯水混合水栓に接続される配管（図示省略）に接続する。次いで、本体部１２を、浴室の壁面などにあらかじめ固定しておいた固定用ステー４にねじ止めする。図４及び図１７に示すように、取付部３４を固定用ステー４の裏面側に配置させて、固定用ステー４の第一取付孔５から、本体部１２の左右の取付部３４に形成された第一ねじ孔３２にそれぞれ、ねじ７をねじ込む。この状態で、本体部１２は、カウンター１のパネル２に開口された取付口９に位置される。次いで、シャワーフェイス１８を、固定用ステー４及び本体部１２に固定する。図５及び図１７に示すように、取付部４４を固定用ステー４の表面側に配置させて、左右の取付孔４６及び固定用ステー４の第二取付孔６に挿通して、本体部１２の第二ねじ孔３２に、それぞれ、ねじ８をねじ込む。この際に、図１７及び図３に示すように、シャワーフェイス１８の向きが正しければ、干渉突部４３は本体部１２の凹部３６内に収容され、ねじ８のねじ止めを可能とするが、図１８に示すように、シャワーフェイス１８の左右の向きを間違えて組み付けようとすると、干渉突部４３が本体部１２の干渉部３８に干渉されて、ねじ８によるねじ止めを不能とする。そして、シャワーフェイス１８を固定した後に、カバー２０をシャワーフェイス１８に嵌合取り付けして、床散湯シャワー１０の組み立て及び取付が終了する。
【００４４】
なお、本発明は上記した実施の形態に限られるものではなく、本発明の趣旨の範囲内で種々の変更が可能である。例えば、散水孔５０，５２，５４，５６、噴き出し口５８，６０，６２，６４は別の角度・形状などでも良く、例えば、床散湯シャワー１の正面側から左側に広がる床面３に対して、正面視左寄りに散水孔及び噴き出し口などの角度を向けるように変更するなど、床面３の幅・奥行き・床散湯シャワーの設置される高さ及び角度、床散湯シャワーに湯水を供給する水栓の水圧などにより、上記した本発明の主旨の範囲内で種々の変更を行えば良い。また、散水孔５０，５２，５４，５６の配置も限定されず、上下方向における列の数、左右方向における数なども上記した例に限定されない。また、シャワーフェイス自体の形状についても、上記した正面視長方形状などに限られず、種々の形状に変更可能である。また、床散湯シャワー１０の正面側から左右に広がる床面３に対して、正面視中央部に位置する散水孔５０，５２，５４は床散湯シャワー１０の正面に正対する方向に吐出され、これより、正面視左寄りの散水孔５０，５２，５４はより左側に位置する散水孔５０，５２，５４ほど左側に角度を強めて吐出され、これより、正面視右寄りの散水孔５０，５２，５４はより右側に位置する散水孔５０，５２，５４ほど右側に角度を強めて吐出されるようにしても良い。
【００４５】
また、干渉部３８及び干渉突部４３の形状・大きさなども上記したものに限定されない。本体部１２とシャワーフェイス１８が組み付けられる正規の向きにおいて干渉されず、間違った向きに組み付ける場合には干渉する形状・大きさなどであれば良く、例えば、上記の他に片持ち梁状に突設された干渉突部とすることでも良い。
【図面の簡単な説明】
【００４６】
【図１】本発明の床散湯シャワーを配設した浴室カウンターの斜視図である。
【図２】本発明の床散湯シャワーの正面図である。
【図３】カバーを除いた床散湯シャワーの横断面図である。
【図４】固定用ステー及び本体部の正面図である。
【図５】シャワーフェイスの正面図である。
【図６】図５のシャワーフェイスのＪ−Ｋ−Ｌ−Ｊ線断面図である。
【図７】図５のシャワーフェイスのＧ−Ｇ線断面図である。
【図８】図６のシャワーフェイスのＳ−Ｓ線断面図である。
【図９】図８のシャワーフェイスの一部拡大断面図である。
【図１０】図６のシャワーフェイスのＴ−Ｔ線断面図である。
【図１１】図１０のシャワーフェイスの一部拡大断面図である。
【図１２】図７のシャワーフェイスのＵ−Ｕ線断面図である。
【図１３】図１２のシャワーフェイスの一部拡大断面図である。
【図１４】図６のシャワーフェイスのＶ−Ｖ線断面図である。
【図１５】カバーの正面図である。
【図１６】カバーを取り付けた床散湯シャワーの横断面図である。
【図１７】シャワーフェイス、固定用ステー、本体部の分解横断面図である。
【図１８】シャワーフェイスを左右逆向きに配置した状態を示す、シャワーフェイス、固定用ステー、本体部の分解横断面図である。
【図１９】床散湯シャワーの平面図である。
【符号の説明】
【００４７】
１；カウンター、２；パネル、３；床面、４；固定用ステー、５；第一取付孔、６；第二取付孔、７；ねじ、８；ねじ、９；取付口、１０；床散湯シャワー、１２；本体部、１３；開口部、１４；接続管部、１５；段部、１６；ボデー、１８；シャワーフェイス、１９；切り欠き、２０；カバー、２１；内孔、２２；台座、２４；Ｏリング、２６；小径部、２８；大径部、２９；開口部、３０；定流量弁、３２；第一ねじ孔、３３；第二ねじ孔、３４；取付部、３６；凹部、３８；干渉部、４０；フェイス部、４１；正面部、４２；側壁、４３；干渉突部、４４；取付部、４５；傾斜部、４６；取付孔、４７；収容空間、４８；当接段部、５０，５２，５４，５６；散水孔、５８，６０，６２，６４；噴き出し口、７０；底部、７２；側壁部。
【図１】
2008136568.tif 000003
【図２】
2008136568.tif 000004
【図３】
2008136568.tif 000005
【図４】
2008136568.tif 000006
【図５】
2008136568.tif 000007
【図６】
2008136568.tif 000008
【図７】
2008136568.tif 000009
【図８】
2008136568.tif 000010
【図９】
2008136568.tif 000011
【図１０】
2008136568.tif 000012
【図１１】
2008136568.tif 000013
【図１２】
2008136568.tif 000014
【図１３】
2008136568.tif 000015
【図１４】
2008136568.tif 000016
【図１５】
2008136568.tif 000017
【図１６】
2008136568.tif 000018
【図１７】
2008136568.tif 000019
【図１８】
2008136568.tif 000020
【図１９】
2008136568.tif 000021